(57)【特許請求の範囲】
【請求項１】
ロール紙を収納するロール紙収納部と、
前記ロール紙収納部に収納したロール紙の外径の変化に追従して、当該ロール紙の外周面に押し付けられた状態に保持されるロール紙押さえ部材と、  前記ロール紙押さえローラが前記ロール紙の外周面の外径の変化に追従して移動できるように当該ロール紙押さえ部材を支持している支持部材と、
前記ロール紙押さえ部材が前記外周面に押し付けられた状態に保持されるように前記支持部材を付勢している付勢部材とを備え、
前記支持部材は、前記ロール紙押さえ部材を前記ロール紙の外周面に押し付けた状態に保持する動作位置と、当該ロール紙押さえ部材を前記ロール紙収納部から退避した状態に保持する退避位置に移動可能であり、
さらに前記ロール紙収納部の開口部を開閉するための開閉蓋を有し、
前記支持部材は、前記開閉蓋の開き動作に連動して前記動作位置から前記退避位置に移動し、当該開閉蓋の閉じ動作に連動して前記退避位置から前記動作位置に移動し、
前記開閉蓋が閉じ位置から所定角度開いた後は、前記付勢部材の付勢力が前記支持部材を前記動作位置から前記退避位置に移動させる方向の力に切り替わり、前記開閉蓋が開き位置から所定角度閉じた後は前記付勢部材の付勢力が前記支持部材を前記退避位置から前記動作位置に移動させる方向の力に切り替わることを特徴とするロール紙供給装置。
【請求項２】
請求項１に記載のロール紙供給装置において、
前記開閉蓋は、その下端部の水平軸を中心として、ほぼ垂直に起立した閉じ位置から、前方にほぼ水平に倒れた開き位置まで旋回可能であり、
前記支持部材は、前記開閉蓋における前記水平軸よりも上方に位置している水平支軸を中心として、上下方向に旋回可能な状態で当該開閉蓋に取り付けられており、
当該支持部材の先端に前記ロール紙押さえ部材が取り付けられており、
前記付勢部材は、前記支持部材における前記水平支軸よりも先端側の位置に形成した上側ばね掛けと、前記開閉蓋の前記水平軸よりも前側の位置に配置した下側ばね掛けとの間に架け渡されている引張りコイルばねであり、
前記開閉蓋の後側には、当該開閉蓋の水平軸よりも後方側に位置している水平連結軸を中心として前後方向に旋回可能な連結部材が配置されており、
この連結部材には、前記支持部材における前記水平支軸よりも後方側の部位が、回転可能、かつ、前記水平支軸を中心として所定角度だけ旋回可能な状態で連結されていることを特徴とするロール紙供給装置。
【請求項３】
請求項２に記載のロール紙供給装置において、
前記支持部材の前記退避位置は、当該支持部材が前記開閉蓋に平行となるように重なった位置であることを特徴とするロール紙供給装置。
【請求項４】
請求項１ないし３のうちのいずれかの項に記載のロール紙供給装置において、
前記ロール紙押さえ部材は、前記支持部材によって、回転自在な状態で水平に支持されている押さえローラであることを特徴とするロール紙供給装置。
【請求項５】
請求項１ないし４のうちのいずれかの項に記載のロール紙供給装置を有していることを特徴とするロール紙プリンタ。
【発明の詳細な説明】
【技術分野】
【０００１】
本発明は、ロール紙を転動可能な状態でロール紙収納部内に置き、この状態のロール紙から引き出される記録紙をロール紙プリンタの印刷位置に向けて供給するロール紙供給装置および当該ロール紙供給装置を備えたロール紙プリンタに関する。
【背景技術】
【０００２】
レシートなどを発行するロール紙プリンタでは、記録媒体として、長尺状の記録紙をロール状に巻き付けた構成のロール紙が用いられる。ロール紙プリンタに搭載されているロール紙供給装置としては、ロール紙が繰出リールなどの支軸によってその巻き芯を中心として回転自在の状態で支持されておらず、単に、ロール紙収納部の底面に転動可能な状態で置かれている、所謂「投げ込み式」とよばれるものが知られている。投げ込み式の供給装置では、ロール紙交換時などに、繰出リールなどの支軸にロール紙を着脱する操作が不要なので、ロール紙の交換作業などを簡単に行うことができる。
【０００３】
特許文献１、２には、投げ込み式の供給機構を備えたロール紙プリンタ開示されている。このようなロール紙プリンタの印刷動作においては、紙送りローラによってロール紙から引き出されている記録紙が印刷位置を経由する搬送路に沿って搬送され、印刷位置において印刷ヘッドによって印刷が施される。一般に、紙送りローラによる紙送りと、印刷ヘッドによる印刷が交互に繰り返されて、紙送り方向に沿って所定のピッチで印刷が施される。
【特許文献１】特開２００７−２０３５６３号公報
【特許文献２】特開２００７−２０３５６４号公報
【発明の開示】
【発明が解決しようとする課題】
【０００４】
投げ込み式のロール紙供給装置では、ロール紙がロール紙収納部に転動可能な状態で単に置かれているに過ぎない。このため、紙送りローラによって記録紙が搬送方向に引かれた場合に、それに追従してロール紙が回転することができずに、ロール紙がロール紙収納部の底から浮き上がることがある。特に、ロール径が小さくなり軽量になると、記録紙搬送時にロール紙収納部内においてロール紙が上下に移動しやすくなる。このようなロール紙の上下の動きは、紙送りローラに対して紙送り負荷として作用し、紙送りローラに滑りが生じ、紙送り精度が低下するおそれがある。
【０００５】
例えば、浮き上がったロール紙が再びロール紙収納部の底面に落下する際には、ロール紙の自重が、そこから繰り出される記録紙に対して、搬送方向とは逆方向に引張る引張り力として作用する。ロール紙の落下と、紙送りローラによる記録紙の次の引き出し動作（紙送り動作）とが重なると、紙送りローラには一時的に過大な紙送り負荷が作用し、紙送りローラと記録紙の間に滑りが発生し、正確な量の紙送りを行うことができない。
【０００６】
本発明の課題は、ロール紙の浮き上がりを防止できるようにしたロール紙供給装置、および当該ロール紙供給装置を備えたロール紙プリンタを提案することにある。
【課題を解決するための手段】
【０００７】
上記の課題を解決するために、本発明のロール紙供給装置は、ロール紙を収納するロール紙収納部と、このロール紙収納部に収納したロール紙の外径の変化に追従して、当該ロール紙の外周面を押し付けた状態に保持されるロール紙押さえ部材とを有していることを特徴としている。
【０００８】
ロール紙押さえ部材としては、ロール紙の外周面を押し付けたとき、当該ロール紙に回転負荷を与えることの無い様に、回転自在な状態で支持されている押さえローラを用いることが望ましい。
【０００９】
また、ロール紙押さえローラがロール紙の外周面の外径の変化に追従して移動できるように、当該ロール紙押さえ部材を支持部材によって支持し、ロール紙押さえ部材がロール紙の外周面に押し付けられた状態に保持されるように、付勢部材によって支持部材を付勢しておけばよい。
【００１０】
さらに、支持部材を動作位置から退避位置に移動可能としておき、動作位置においては、ロール紙押さえ部材がロール紙の外周面を押し付け可能な位置に保持され、退避位置においては、当該ロール紙押さえ部材がロール紙収納部から退避した状態に保持されるようにすることが望ましい。ロール紙押さえ部材を退避させることにより、ロール紙の交換作業を、ロール紙押さえ部材に邪魔されることなく行うことができる。
【００１１】
ここで、一般的には、ロール紙収納部には、その開口部を開閉するための開閉蓋が取り付けられている。この場合には、支持部材が、開閉蓋の開き動作に連動して動作位置から退避位置に移動し、当該開閉蓋の閉じ動作に連動して退避位置から動作位置に移動するように構成することが望ましい。このようにすれば、ロール紙交換時などにおいて操作者がロール紙押さえ部材を退避させる操作が不要になる。
【００１２】
開閉蓋に連動させてロール紙押さえ部材を退避させるためには、開閉蓋が閉じ位置から所定角度開いた後は、付勢部材の付勢力が支持部材を退避位置に移動させる方向の力に切り替わり、開閉蓋が開き位置から所定角度閉じた後は付勢部材の付勢力が支持部材を動作位置に移動させる方向の力に切り替わるようにすればよい。
【００１３】
このように付勢力の方向を切り換えるためには次の構成を採用することができる。
【００１４】
すなわち、開閉蓋が、その下端部の水平軸を中心として、ほぼ垂直に起立した閉じ位置から、前方にほぼ水平に倒れた開き位置まで旋回可能となっている場合において、支持部材を、開閉蓋における水平軸よりも上方に位置している水平支軸を中心として、上下方向に旋回可能な状態で当該開閉蓋に取り付けておく。また、この支持部材の先端にロール紙押さえ部材を取り付けておく。さらに、付勢部材として、支持部材における水平支軸よりも先端側の位置に形成した上側ばね掛けと、開閉蓋の水平軸よりも前側の位置に配置した下側ばね掛けとの間に架け渡されている引張りコイルばねを用いる。さらには、開閉蓋の後側に、水平軸よりも後方側に位置している水平連結軸を中心として前後方向に旋回可能な連結部材を配置しておく。そして、この連結部材に、支持部材における水平支軸よりも後方側の部位が、回転可能、かつ、水平支軸を中心として所定角度だけ旋回可能な状態で連結しておく。
【００１５】
このようにすれば、開閉蓋を閉じ位置から開き位置に向けて開くと、連結部材によって、支持部材が、水平支軸を中心として先端側が上方に旋回させられながら開閉蓋と共に旋回する。このため、開閉蓋をある程度開くと、上側ばね掛けの位置が水平支軸の後ろ側から前側に移動し、引張りコイルばねの引張り力が、水平支軸を中心として支持部材を前側に旋回させる力に切り替わる。この結果、支持部材の先端側が引張り力によって開閉蓋の側に引張られて退避位置に移動する。
【００１６】
この場合には、支持部材の退避位置を、当該支持部材が開閉蓋に平行となるように重なった位置としておけばよい。このようにすれば、支持部材に取り付けられているロール紙押さえ部材を、開閉蓋の厚さ寸法内に納まるように退避させることができ、ロール紙交換作業などの邪魔になることがない。
【００１７】
次に、本発明のロール紙プリンタは上記構成のロール紙供給装置を備えていることを特徴としている。
【発明の効果】
【００１８】
本発明のロール紙供給装置は、ロール紙収納部に入れたロール紙がロール紙押さえ部材によって常に押し付けられた状態に保持される。したがって、ロール紙がロール紙収納部内において上下に移動することを防止できる。よって、ロール紙の上下の移動に起因する紙送り精度の低下、それに伴う印刷品質の低下を防止できる。
【００１９】
また、ロール紙押さえ部材が開閉蓋に連動してロール紙収納部から退避する場合には、ロール紙交換時にロール紙押さえ部材が交換作業の邪魔にならないので、従来の投げ込み式のロール紙供給装置と同様な使い勝手を維持できる。
【発明を実施するための最良の形態】
【００２０】
以下に、図面を参照して、本発明を適用したロール紙プリンタの実施の形態を説明する。
【００２１】
図１は本発明を適用したインクジェット式のロール紙プリンタの外観斜視図であり、図２はその開閉蓋を全開にした状態の外観斜視図である。ロール紙プリンタ１は全体としてほぼ直方体形状をしたプリンタ本体２と、当該プリンタ本体２の前面に取り付けた開閉蓋３とを有している。プリンタ本体２の外装ケース２ａの前面には所定幅の記録紙排出口４が形成されている。記録紙排出口４の下側には排紙ガイド５が前方に突出しており、当該排紙ガイド５の側方には蓋開閉レバー６が配置されている。外装ケース２ａにおける排紙ガイド５および蓋開閉レバー６の下側には、ロール紙出し入れ用の矩形の開口部２ｂが形成されており、この開口部２ｂが開閉蓋３によって封鎖されている。
【００２２】
蓋開閉レバー６を操作すると開閉蓋３のロックが解除される。ロック解除後、排紙ガイド５を前方に引くと、図２に示すように、開閉蓋３が下端部を中心として前方にほぼ水平となるまで開く。開閉蓋３が開くと、プリンタ内部に形成されているロール紙収納部１１が開放状態となり、同時に、ロール紙収納部１１から記録紙排出口４に到る記録紙搬送経路が開放状態となり、プリンタ前方からロール紙の交換作業などを簡単に行うことができるようになっている。なお、図２においては、開閉蓋３の蓋ケース３ａおよび蓋開閉レバー６を省略してある。
【００２３】
図３はロール紙プリンタ１の内部構成を示す説明図である。ロール紙プリンタ１の内部には、プリンタ本体フレーム１０における幅方向の中央部分にロール紙収納部１１が形成されている。ロール紙収納部１１にはロール紙１２がプリンタ幅方向に向いた横置き状態で収納される。ロール紙収納部１１の底は、プリンタ前後方向の中央が最も深くなった湾曲状の受け皿１１ａによって規定されている。この受け皿１１ａの前側の湾曲底面部分にはプリンタ幅方向に繰り出しローラ１１ｂが取り付けられており、その後側の湾曲底面部分にはプリンタ幅方向に３本のガイドローラ１１ｃ、１１ｄ、１１ｅが回転自在の状態で取り付けられている。ロール紙１２は、ロール径が大きい場合には、図に示すように、前後のローラ１１ｂ、１１ｅに乗った状態に保持され、ロール径が小さくなると、ローラ１１ｂ、１１ｄに乗った状態になり、さらにロール径が小さくなるとローラ１１ｂ、１１ｃに乗った状態になる。ロール径が変化しても常に２本のガイドローラによって回転容易な状態に支持される。
【００２４】
ロール紙収納部１１の上側には、プリンタ本体フレーム１０の上端にヘッドユニットフレーム１３が水平に取り付けられている。ヘッドユニットフレーム１３にはプリンタ幅方向にキャリッジガイド軸１４が水平に架け渡されている。キャリッジガイド軸１４に沿って、インクジェットヘッド１５が下向き状態で搭載されているキャリッジ１６がプリンタ幅方向に往復移動可能となっている。キャリッジ１６は、公知のキャリッジ搬送機構、例えば、キャリッジモータおよびタイミングベルトを備えたキャリッジ搬送機構によって、プリンタ幅方向に往復移動される。
【００２５】
インクジェットヘッド１５の下側には一定のギャップを開けてプリンタ幅方向に水平に延びるプラテン１７が配置されている。プラテン１７によってインクジェットヘッド１５の印刷位置が規定されている。プラテン１７の後端には下方に湾曲しているテンションガイド１８が取り付けられている。テンションガイド１８はばね力によって上方に付勢されており、ロール紙収納部１１に収納されているロール紙１２から引き出された記録紙１２ａは、テンションガイド１８によって所定の張力が付与された状態で印刷位置を経由して引き出される。
【００２６】
プラテンガイド１７の後側には、後側紙送りローラ２１がプリンタ幅方向に水平に架け渡されている。後側紙送りローラ２１には記録紙１２ａを介し、所定幅の後側紙押えローラ２２が所定の押圧力で押し付けられている。プラテンガイド１７における前端側の部位には、前側紙送りローラ２３が配置されている。前側紙送りローラ２３には記録紙１２ａを介し、上側から前側紙押えローラ２４が押し付けられている。後側紙送りローラ２１および前側紙送りローラ２３は、プリンタ本体フレーム１０に搭載されている紙送りモータ２４によって駆動される。
【００２７】
キャリッジ１６を往復移動させながら、そこに搭載されているインクジェットヘッド１５により、ロール紙１２から繰り出されて印刷位置に位置している記録紙１２ａの部分の表面に印刷が行われる。記録紙１２ａの幅方向への一連の行印刷が終了した後は、後側紙送りローラ２１および前側紙送りローラ２３が回転駆動されて、所定ピッチだけ記録紙１２ａが送り出される。この後に、次の行の印刷が行われる。このように、記録紙１２ａは、所定ピッチで間欠的に送り出されながらインクジェットヘッド１５によって印刷が施される。印刷後の記録紙１２ａが排出される記録紙排出口４には記録紙切断装置、例えば鋏式の記録紙切断装置２５が配置されている。記録紙切断装置２５によって、これらの間に位置する記録紙１２ａが幅方向に切断される。
【００２８】
ここで、開閉蓋３、プラテン１７、テンションガイド１８、後側紙押えローラ２１、前側紙送りローラ２３は、開閉蓋３と一緒に開閉する。本例では、これらは４節の平行リンク機構によって支持されている。平行リンク機構は、開閉蓋３が取り付けられている左右一対の前側平行リンク３１、３２と、左右一対の後側平行リンク３３、３４とを備えている。前側平行リンク３１、３２の間にはプリンタ幅方向に前板３５が架け渡されており、この前側に開閉蓋３が取り付けられている。これらの前側平行リンク３１、３２の下端部は、それぞれ、プリンタ本体フレーム１０の底板部分１０ａによって水平軸３６を中心に前後に回動自在に支持され、後側平行リンク３３、３４も底板部分１０ａによって水平軸３７を中心に前後に回動自在に支持されている。前側平行リング３１、３２の上端部は、プラテン１７が取り付けられているガイドフレーム３８の前端部に対して水平軸３９を中心に回動自在に連結され、後側平行リンク３３、３４の上端部は、ガイドフレーム３８の後端部に対して水平軸４０を中心として回動自在に連結されている。
【００２９】
開閉蓋３を垂直に起立した閉じ位置から前方に開けると、当該開閉蓋３は、前側平行リンク３１、３２の水平軸３６を中心として前方に倒れる。平行リンク機構によって、ガイドフレーム３８がほぼ水平に保持され、ここに取り付けられているプラテンガイド１７も水平に保持されたまま開閉蓋３が開閉する。
【００３０】
（ロール紙押さえローラ）
ここで、図３に示すように、本例のロール紙収納部１１にはロール紙押さえローラ４１が配置されている。このロール紙押さえローラ４１は、ロール紙収納部１１に収納したロール紙１２の外径の変化に追従して当該ロール紙１２の上側外周面部分１２ｂを押し付けた状態に保持可能である。
【００３１】
図４はロール紙押さえローラ４１を支持している機構部分を示す説明図である。図３および図４を参照して説明すると、ロール紙押さえローラ４１は、ロール紙収納部１１内において幅方向に水平に延びており、回転自在の状態で、左右一対のローラ支持レバー４２、４３の先端部の間に架け渡されている。ローラ支持レバー４２、４３は、左右の前側平行リンク３１、３２における下端の水平軸３６よりも上側の位置に配置した水平支軸４４、４５を中心として上下に旋回可能な状態で、これらの前側平行リンク３１、３２に取り付けられている。
【００３２】
一方のローラ支持レバー４３には水平支軸４５を挟み、ロール紙押さえローラ４１を支持している先端部とは反対側に延びている後端部４３ａが形成されている。後端部４３ａと、プリンタ本体フレーム１０の底板部分１０ａとの間には連結板４６が架け渡されている。すなわち、ローラ支持レバー４３の後端部４３ａには、幅方向に向けて水平に突出した連結ピン４８が取り付けられている。連結板４６の上端部には連結ピン４８が回転およびスライド可能な状態で差し込まれている長孔４６ａが形成されている。したがって、ローラ支持レバー４３は、水平支軸４５を中心として、長孔４６ａで規定される角度範囲で上下に旋回可能な状態で連結板４６に連結されている。連結板４６の下端部は、プリンタ本体フレーム１０の底板部分１０ａにおける前側平行リンク３２の水平軸３６よりも後側の部位において、水平連結軸５１を中心として旋回可能な状態で取り付けられている。
【００３３】
ローラ支持レバー４３における水平支軸４５よりも先端側の部位には、上側ばね掛け４３ｂが形成されている。プリンタ本体フレーム１０の底板部分１０ａには、前側平行リンク３２の水平軸３６よりも前側の位置に下側ばね掛け１０ｂが形成されている。これら上側ばね掛け４３ｂと下側ばね掛け１０ｂの間に、引張りコイルばね５３が架け渡されている。
【００３４】
なお、本例では、連結板４６および引張りコイルばね５３がローラ支持レバー４３の側に配置されているが、これらを双方のローラ支持部材４２、４３に配置することも可能である。
【００３５】
（ロール紙押さえローラの動き）
図５〜図９は、開閉蓋３の開閉動作に連動したロール紙押さえローラ４１の動きを示す説明図である。
【００３６】
まず、図５に示すように、ロール紙収納部１１にロール径の大きなロール紙１２が収納され、開閉蓋３が閉じている状態では、ロール紙押さえローラ４１は、引張りコイルばね５３のばね力によってロール紙１２の上側外周面部分１２ｂに上側から押し付けられている。ロール紙押さえローラ４１を支持しているローラ支持レバー４３の後端部４３ａの連結ピン４８は、連結板４６の長孔４６ａにおける下側の内周縁端の近傍に位置しており、ローラ支持レバー４２、４３はそれらの先端側が下方に旋回可能な状態にある。
【００３７】
したがって、記録紙１２ａが繰出されてロール紙１２のロール径が小さくなると、それに追従して、ローラ支持レバー４２、４３はばね力によって水平支軸４４、４５を中心として先端側が下方に旋回する。すなわち、ローラ支持レバー４２、４３の先端に支持されているロール紙押させローラ４１は常にロール紙１２の上側外周面部分１２ｂに押し付けられた状態に保持される。よって、記録紙１２ａの供給時に、ロール紙１２が浮き上がることを防止でき、ロール紙プリンタ１は安定した紙送り動作を実現できる。
【００３８】
次に、記録紙１２ａが無くなると、図５に示すように、ロール紙１２は巻き芯１２ｃのみが残った状態になる。この状態では、ローラ支持レバー４３の後端部の連結ピン４８が連結板４６の長孔４６ａの上端内周縁部分に当たった状態、あるいは、これらの近傍に位置することになる。
【００３９】
ロール紙を交換するために開閉蓋３のロックを解除して開閉蓋３を前方に引くと、図６に示すように、開閉蓋３が取り付けられている前側平行リンク３１、３２が水平軸３６を中心として前方に倒れる。前側平行リンク３１、３２にはローラ支持レバー４２、４３が取り付けられているので、これらローラ支持レバー４２、４３も全体として水平軸３６を中心として前方に旋回する。
【００４０】
ここで、ローラ支持レバー４３の水平支軸４５よりも先端側の部位が引張りコイルばね５３によって下方に引張られており、ローラ支持レバー４２、４３は、水平支軸４４、４５を中心として、先端側が下方に引かれ、後端側が上方に旋回する。ローラ支持レバー４３の後端部の連結ピン４８が連結板４６の長孔４６ａの上端内周縁部分に当たると、ローラ支持レバー４２、４３の旋回が阻止される。この後は、図６、図７に示すように、ローラ支持レバー４２、４３は旋回することなく、前側平行リンク３１、３２（開閉蓋３）と共に水平軸３６を中心として前方に旋回する。
【００４１】
前側平行リンク３１、３２（開閉蓋３）が図７に示す状態よりも前方に倒れると、引張りコイルばね５３が掛けられているローラ支持レバー４３の上側ばね掛け４３ｂの位置が、水平支軸４５の後側から前側に移動する。この結果、引張りコイルばね５３のばね力の作用方向が、ローラ支持レバー４２、４３を逆向きに旋回する方向に切り替わる。すなわち、ローラ支持レバー４２、４３の先端側を前方に旋回させ、後端側を後方に旋回させる。この結果、図８に示すように、ローラ支持レバー４２、４３はばね力によって水平支軸４４、４５を中心として先端側が前方に旋回して、前側平行リンク３１、３２の間の前板３５に平行となるように重なった状態（退避位置）になる。
【００４２】
図９に示すように、前側平行リンク３１、３２（開閉蓋３）が前側に略水平に倒れた開き位置の状態では、前側平行リンク３１、３２に、ローラ支持レバー４２、４３、後側平行リンク３３、３４およびガイドフレーム３８がほぼ水平に重なった状態になる。ローラ支持レバー４２、４３の先端に支持されているロール紙押さえローラ４１は前側平行リンク３１、３２の幅寸法内に納まった状態になる。したがって、開閉蓋３を開けた状態においては、ロール紙収納部１１の開口部２ｂが全開状態になり、ロール紙押さえローラ４１がロール紙交換作業の邪魔になることがない。
【００４３】
なお、開閉蓋３を開けた状態から閉じると、図９から図５の状態に戻る。すなわち、開閉蓋３を閉じる途中において、ロール紙押さえローラ４１を支持しているローラ支持レバー４２、４３に作用する引張りコイルばね５３による旋回方向が切り替わる。これにより、ローラ支持レバー４２、４３は、再び図５に示すように、ロール紙押さえローラ４１がロール紙１２の上側外周面部分１２ｂに押し付けられる位置（動作位置）に戻る。
【００４４】
（その他の実施の形態）
上記のロール紙プリンタ１では、ロール紙を押し付けるためにロール紙押させローラ４１を用いている。ローラの代わりに樹脂などで、ロール紙に回転負荷を与えない押し付け面形状、例えば接触面が円弧面形状などを備えたローラ押さえ部材を用いることも可能である。
【００４５】
また、上記の例では開閉蓋の開閉に連動させてロール紙押さえローラをロール紙収納部から退避させるようにしている。このような連動機構を省略して、手動操作によってロール紙押させローラを支持しているローラ支持レバーを退避位置に移動できるようにしてもよい。例えば、上記の例においては、連結板４６を省略し、開閉蓋３を開けた後に、操作者が、ローラ支持レバー４２、４３を開閉蓋の側に旋回させてロール紙収納部１１から退避させるようにすることも可能である。
【図面の簡単な説明】
【００４６】
【図１】本発明を適用したロール紙プリンタの外観斜視図である。
【図２】図１のロール紙プリンタの開閉蓋を開けた状態を示す外観斜視図である。
【図３】図１のロール紙プリンタの内部構成を示す説明図である。
【図４】図３のロール紙押さえローラを支持している機構を示す説明図である。
【図５】ロール紙押さえローラがロール紙を押し付けている状態を示す説明図である。
【図６】開閉蓋を開け始めたときに状態を示す説明図である。
【図７】開閉蓋を図６の状態よりも更に開けた状態を示す説明図である。
【図８】開閉蓋を図７の状態よりも更に開けた状態を示す説明図である。
【図９】開閉蓋を完全に開けた状態を示す説明図である。
【符号の説明】
【００４７】
１  ロール紙プリンタ、２  プリンタ本体、２ａ  外装ケース、２ｂ  開口部、３  開閉蓋、４  記録紙排出口、５  排紙ガイド、６  蓋開閉レバー、１０  プリンタ本体フレーム、１０ａ  底板部分、１０ｂ，１０ｃ  下側ばね掛け、１１  ロール紙収納部、１１ａ  底板、１１ｂ〜１１ｅ  ガイドローラ、１２  ロール紙、１２ａ  記録紙、１２ｂ  上側外周面部分、１２ｃ  巻き芯、１３  ヘッドユニットフレーム、１４  キャリッジガイド軸、１５  インクジェットヘッド、１６  キャリッジ、１７  プラテンガイド、１８  記録紙ガイド、２１  後側紙送りローラ、２２  後側紙押えローラ、２３  前側紙送りローラ、２４  前側紙押えローラ、３１，３２  前側平行リンク、３３，３４  後側平行リンク、３５  前板、３６，３７  水平軸、３８  ガイドフレーム、３９，４０  水平軸、４１  ロール紙押さえローラ、４２，４３  ローラ支持レバー、４３ａ  後端部、４３ｂ  上側ばね掛け、４４，４５  水平支軸、４６  連結板、４６ａ  長孔、４８  連結ピン、５１  水平連結軸、５３  引張りコイルばね
【図１】
0004992657.tif 000002
【図２】
0004992657.tif 000003
【図３】
0004992657.tif 000004
【図４】
0004992657.tif 000005
【図５】
0004992657.tif 000006
【図６】
0004992657.tif 000007
【図７】
0004992657.tif 000008
【図８】
0004992657.tif 000009
【図９】
0004992657.tif 000010